(57)【要約】【課題】実用性の高い布団カバーを提供する。【解決手段】布団カバー１０は、第１分割カバー２０と第２分割カバー２２とに分割され、それら第１分割カバー２０と第２分割カバー２２とが、上面側ファスナー２４および下面側ファスナー２６によって連結される。これにより、布団カバーを分割して洗濯することが可能となり、容易に洗濯することが可能となる。また、第１分割カバーと第２分割カバーとのうち、汚れのひどい方のみを洗濯することが可能となり、便利である。さらに言えば、第１分割カバー若しくは、第２分割カバーを引っ張るだけで、布団から取り外すことが可能であり、布団カバーの布団からの取り外しが楽に行える。一方、第１分割カバー若しくは、第２分割カバーを、布団の長手方向の端部に被せるだけで、布団カバーを布団に取り付けることが可能である。このように、本布団カバーは、実用性の高い布団カバーとなっている。【選択図】図３
0003188656.tif 000002
【実用新案登録請求の範囲】
【請求項１】
布団を覆う布団カバーであって、
前記布団カバーが、
布団の長手方向での一方側を覆う第１分割カバーと、
布団の長手方向での他方側を覆う第２分割カバーと、
前記第１分割カバーと前記第２分割カバーとを着脱可能に連結する第１ファスナーと
を備え、前記第１分割カバーと前記第２分割カバーとが前記第１ファスナーによって連結されることで、布団を覆うことを特徴とする布団カバー。
【請求項２】
前記布団カバーが、
前記布団カバーの内部に設けられ、前記布団カバーの内部に収容された布団を固定するための紐と、
前記布団カバーの長手方向の縁部に形成された開口を、開閉するための第２ファスナーと
を備えることを特徴とする請求項１に記載の布団カバー。
【考案の詳細な説明】
【技術分野】
【０００１】
本考案は、布団を覆う布団カバーに関する。
【背景技術】
【０００２】
布団は、通常、汚れ等を防止するべく、布団カバーによって覆われており、布団カバーが汚れた場合には、布団カバーが、布団から取り外され、洗濯される。布団カバーは、一般的に、首元が汚れやすいため、下記特許文献に記載されているように、首元に襟布が着脱可能に設けられた布団カバーが提案されている。このような布団カバーであれば、襟布を布団カバーから取り外し、襟布のみを洗濯することが可能となる。
【先行技術文献】
【特許文献】
【０００３】
【特許文献１】特開２０００−３４２４１８号公報
【考案の概要】
【考案が解決しようとする課題】
【０００４】
しかしながら、上記特許文献１に記載されている布団カバーにおいても、襟布以外の箇所が汚れた場合には、布団カバー全体を洗濯する必要がある。このような場合には、洗濯された布団カバーは、水分によって重くなっており、干し難い。また、布団カバーの内部に布団を入れる際、若しくは、布団カバーの内部から布団が取り出される際には、一般的に、布団カバーの側部に形成された開口を経由して行われるため、布団の出し入れが困難である。このように布団カバーには、改良の余地が多分に残されており、種々の改良を施すことで布団カバーの実用性を向上させることが可能となる。本考案は、そのような実情に鑑みてなされたものであり、実用性の高い布団カバーを提供することを課題とする。
【課題を解決するための手段】
【０００５】
上記課題を解決するために、請求項１に記載の布団カバーは、布団を覆う布団カバーであって、布団の長手方向での一方側を覆う第１分割カバーと、布団の長手方向での他方側を覆う第２分割カバーと、前記第１分割カバーと前記第２分割カバーとを着脱可能に連結する第１ファスナーとを備え、前記第１分割カバーと前記第２分割カバーとが前記第１ファスナーによって連結されることで、布団を覆うことを特徴とする。
【０００６】
また、請求項２に記載の布団カバーは、請求項１に記載の布団カバーにおいて、前記布団カバーの内部に設けられ、前記布団カバーの内部に収容された布団を固定するための紐と、前記布団カバーの長手方向の縁部に形成された開口を、開閉するための第２ファスナーとを備えることを特徴とする。
【考案の効果】
【０００７】
請求項１に記載の布団カバーでは、第１分割カバーと第２分割カバーとが、第１ファスナーによって着脱可能に連結される。これにより、布団カバーを分割して洗濯することが可能となり、容易に洗濯することが可能となる。また、第１分割カバーと第２分割カバーとのうち、汚れのひどい方のみを洗濯することが可能となり、便利である。さらに言えば、請求項１に記載の布団カバーでは、第１分割カバー若しくは、第２分割カバーを引っ張るだけで、布団から取り外すことが可能であり、布団カバーの布団からの取り外しが楽に行える。一方、第１分割カバー若しくは、第２分割カバーを、布団の長手方向の端部に被せるだけで、布団カバーを布団に取り付けることが可能である。このように、請求項１に記載の布団カバーは、実用性の高い布団カバーとなっている。
【０００８】
また、請求項２に記載の布団カバーでは、布団カバーの内部に収容された布団を固定するための紐が、布団カバーの内部に設けられている。これにより、布団の布団カバーの内部でのズレを防止することが可能となる。また、布団カバーの長手方向の縁部には、開口が形成されており、その開口には第２ファスナーが設けられている。つまり、第２ファスナーを開放することで、布団カバーの内部に収容された布団が露出する。これにより、容易に紐を布団に縛り付けることが可能となり、便利である。
【図面の簡単な説明】
【０００９】
【図１】本考案の実施例の布団カバーを示す図である。
【図２】図１の布団カバーの第１分割カバーと第２分割カバーとの連結部の拡大図である。
【図３】第１分割カバーと第２分割カバーとに分割された状態の布団カバーを示す図である。
【図４】第２ファスナーが開放された状態の布団カバーを示す斜視図である。
【考案を実施するための形態】
【００１０】
以下、本考案を実施するための形態として、本考案の実施例を、図を参照しつつ詳しく説明する。
【００１１】
図１に、本考案の実施例の布団カバー１０を示す。布団カバー１０は、概して矩形をなす、袋状の布であり、内部に布団（図４参照）１２を収容するためのものである。布団カバー１０は、第１分割カバー２０と第２分割カバー２２とに分割可能とされており、第１分割カバー２０と第２分割カバー２２とが上面側ファスナー２４および下面側ファスナー２６によって連結されることで、布団カバー１０の内部に布団１２が収容される。
【００１２】
詳しくは、第１分割カバー２０は、積層された２枚の矩形の綿布によって構成され、それら２枚の綿布が、１つの長辺を除いて、縁部において縫着されている。つまり、第１分割カバー２０は、１つの長辺全体が開口する袋状をなしている。また、第２分割カバー２２も、積層された２枚の矩形の綿布によって構成され、それら２枚の綿布が、１つの短辺および、１つの長辺の一部を除いて、縁部において縫着されている。つまり、第２分割カバー２２は、１つの短辺全体および、１つの長辺の一部が開口する袋状をなしている。
【００１３】
第１分割カバー２０の開口する１つの長辺と、第２分割カバー２２の開口する１つの短辺とは、同じ長さとされており、樹脂製の上面側ファスナー２４および下面側ファスナー２６によって連結されている。具体的には、上面側ファスナー２４は、図２に示すように、第１務歯部３０と第２務歯部３２と第１ファスナーテープ３４と第２ファスナーテープ３６とスライダー３８とによって構成されている。第１ファスナーテープ３４は、第１分割カバー２０の開口する１つの長辺の上面側の布の端部に縫着されており、第１務歯部３０は、第１ファスナーテープ３４の第１分割カバー２０に縫着された側と反対側の端部に固定されている。一方、第２ファスナーテープ３６は、第２分割カバー２２の開口する１つの短辺の上面側の布の端部に縫着されており、第２務歯部３２は、第２ファスナーテープ３６の第２分割カバー２２に縫着された側と反対側の端部に固定されている。そして、第１務歯部３０と第２務歯部３２との端部が噛合された状態で、それら第１務歯部３０と第２務歯部３２とが噛み合う方向に、スライダー３８をスライドさせることで、第１分割カバー２０の開口する１つの長辺の上面側の布と、第２分割カバー２２の開口する１つの短辺の上面側の布とが連結される。また、第１務歯部３０と第２務歯部３２との噛み合いを解除する方向に、スライダー３８をスライドさせることで、第１分割カバー２０の開口する１つの長辺の上面側の布と、第２分割カバー２２の開口する１つの短辺の上面側の布との連結が解除される。
【００１４】
また、下面側ファスナー２６も、上面側ファスナー２４と同様に、第１務歯部５０と第２務歯部５２と第１ファスナーテープ５４と第２ファスナーテープ５６とスライダー５８とによって構成されている。第１ファスナーテープ５４は、第１分割カバー２０の開口する１つの長辺の下面側の布の端部に縫着されており、第１務歯部５０は、第１ファスナーテープ５４の第１分割カバー２０に縫着された側と反対側の端部に固定されている。一方、第２ファスナーテープ５６は、第２分割カバー２２の開口する１つの短辺の下面側の布の端部に縫着されており、第２務歯部５２は、第２ファスナーテープ５６の第２分割カバー２２に縫着された側と反対側の端部に固定されている。そして、第１務歯部５０と第２務歯部５２との端部が噛合された状態で、それら第１務歯部５０と第２務歯部５２とが噛み合う方向に、スライダー５８をスライドさせることで、第１分割カバー２０の開口する１つの長辺の下面側の布と、第２分割カバー２２の開口する１つの短辺の下面側の布とが連結される。また、第１務歯部５０と第２務歯部５２との噛み合いを解除する方向に、スライダー５８をスライドさせることで、第１分割カバー２０の開口する１つの長辺の下面側の布と、第２分割カバー２２の開口する１つの短辺の下面側の布との連結が解除される。
【００１５】
上述したように、上面側ファスナー２４によって、第１分割カバー２０の上面側の布と第２分割カバー２２の上面側の布とが、着脱可能に連結され、下面側ファスナー２６によって、第１分割カバー２０の下面側の布と第２分割カバー２２の下面側の布とが、着脱可能に連結される。これにより、第１分割カバー２０と第２分割カバー２２とは、図３に示すように、分割可能とされている。そして、分割された第１分割カバー２０の開口から、布団１２の長手方向での一方側の端部を挿入し、分割された第２分割カバー２２の開口から、布団１２の長手方向での他方側の端部を挿入する。さらに、上面側ファスナー２４によって、第１分割カバー２０の上面側の布と第２分割カバー２２の上面側の布とを連結し、下面側ファスナー２６によって、第１分割カバー２０の下面側の布と第２分割カバー２２の下面側の布とを連結することで、布団カバー１０の内部に、布団１２が収容される。また、上面側ファスナー２４による第１分割カバー２０の上面側の布と第２分割カバー２２の上面側の布との連結を解除し、下面側ファスナー２６による第１分割カバー２０の下面側の布と第２分割カバー２２の下面側の布との連結を解除することで、布団カバー１０の内部から、布団１２が取り出される。
【００１６】
また、開口する第１分割カバー２０の１つの長辺の上面側の布の端部には、図２に示すように、被覆布６０が縫着されている。被覆布６０は、第２分割カバー２２の上面側に延び出しており、上面側ファスナー２４を覆っている。これにより、上面側ファスナー２４の露出が防止されている。また、開口する第１分割カバー２０の１つの長辺の下面側の布の端部にも、被覆布６２が縫着されている。被覆布６２は、第２分割カバー２２の下面側に延び出しており、下面側ファスナー２６を覆っている。これにより、下面側ファスナー２６の露出が防止されている。
【００１７】
また、第１分割カバー２０の内部の両隅には、図１に示すように、紐７０，７２が縫着されており、第２分割カバー２２の内部の両隅および、両縁には、紐７４，７６，７８，８０が縫着されている。それら紐７０，７２，７４，７６，７８，８０は、布団１２の４隅および両縁に設けられた被縛部（図示省略）に縛り付けられる。これにより、布団カバー１０内部での布団１２のズレを防止することが可能となる。
【００１８】
さらに、第２分割カバー２２の開口する１つの長辺には、側面側ファスナー８２が取り付けられている。側面側ファスナー８２は、第１務歯部（図４参照）８６と第２務歯部（図４参照）８８と第１ファスナーテープ（図示省略）と第２ファスナーテープ（図示省略）とスライダー（図示省略）とによって構成されている。第１ファスナーテープは、第２分割カバー２２の開口する１つの長辺の上面側の布の端部に縫着されており、第１務歯部８６は、第１ファスナーテープの第２分割カバー２２に縫着された側と反対側の端部に固定されている。一方、第２ファスナーテープは、第２分割カバー２２の開口する１つの長辺の下面側の布の端部に縫着されており、第２務歯部８８は、第２ファスナーテープの第２分割カバー２２に縫着された側と反対側の端部に固定されている。そして、第１務歯部８６と第２務歯部８８とが噛み合う方向に、スライダーをスライドさせることで、第２分割カバー２２の長辺における開口が閉じる。また、第１務歯部８６と第２務歯部８８との噛み合いを解除する方向に、スライダーをスライドさせることで、第２分割カバー２２の長辺における開口が開く。
【００１９】
上述した構造により、布団カバー１０を第１分割カバー２０と第２分割カバー２２とに分割することで、分割のできない布団カバーと比較して、洗濯を容易に行うことが可能となる。また、第１分割カバー２０と第２分割カバー２２とのうち、汚れのひどい方のみを洗濯することが可能となり、便利である。特に、布団カバーは、首元が汚れやすいため、第１分割カバー２０のみを、布団１２から取り外し、洗濯することが可能であり、非常に便利である。
【００２０】
さらに言えば、第１分割カバー２０と第２分割カバー２２との各々を、単独で販売することで、第１分割カバー２０と第２分割カバー２２との一方のみが破損した場合には、破損した一方のみを購入すれば、破損していない他方を廃棄することなく、利用することが可能となる。このように、布団カバー１０は、経済的に有利であるとともに、環境的にも優れている。
【００２１】
また、布団カバー１０では、上面側ファスナー２４および下面側ファスナー２６が、被覆布６０，６２によって覆われている。これにより、ユーザへの上面側ファスナー２４および下面側ファスナー２６の接触を防止することが可能となる。また、上面側ファスナー２４および下面側ファスナー２６は、樹脂製のため、上面側ファスナー２４および下面側ファスナー２６がユーザに接触した場合であっても、接触による不快感を抑制することが可能となる。
【００２２】
また、第２分割カバー２２の側部には、側面側ファスナー８２が設けられており、側面側ファスナー８２を開放することで、図４に示すように、布団カバー１０の内部に収容された布団１２が露出する。これにより、容易に紐７４，７６，７８，８０を布団１２に縛り付けることが可能となり、便利である。
【００２３】
ちなみに、上記実施例において、布団カバー１０は、布団カバーの一例である。布団１２は、布団の一例である。第１分割カバー２０は、第１分割カバーの一例である。第２分割カバー２２は、第２分割カバーの一例である。上面側ファスナー２４および下面側ファスナー２６は、第１ファスナーの一例である。紐７０，７２，７４，７６，７８，８０は、紐の一例である。側面側ファスナー８２は、第２ファスナーの一例である。
【００２４】
なお、本発明は、上記実施例に限定されるものではなく、当業者の知識に基づいて種々の変更、改良を施した種々の態様で実施することが可能である。具体的には、例えば、上記実施例では、第１分割カバー２０と第２分割カバー２２とを連結する上面側ファスナー２４，下面側ファスナー２６、および、第２分割カバー２２の側辺に設けられた側面側ファスナー８２は、線ファスナーであるが、面ファスナーを採用することが可能である。
【００２５】
また、上記実施例では、第１分割カバー２０と第２分割カバー２２とを連結するために、上面側ファスナー２４と下面側ファスナー２６との２つのファスナーが用いられているが、１つのファスナーで、第１分割カバー２０と第２分割カバー２２とを連結してもよい。この場合には、第１分割カバー２０の開口の全円周上に、第１務歯部を設け、第２分割カバー２２の開口の全円周上に、第２務歯部を設ける必要がある。
【００２６】
また、布団カバー１０のサイズは、限定されるものではなく、シングルサイズ，ダブルサイズ，キングサイズ等、種々のサイズのものを採用することが可能である。また、布団カバー１０の素材も、限定されるものではなく、綿，ポリエステルと綿との混紡素材，麻等、種々の素材を採用することが可能である。
【符号の説明】
【００２７】
１０：布団カバー
１２：布団
２０：第１分割カバー
２２：第２分割カバー
２４：上面側ファスナー（第１ファスナー）
２６：下面側ファスナー（第１ファスナー）
８２：側面側ファスナー（第２ファスナー）
【図１】
0003188656.tif 000003
【図２】
0003188656.tif 000004
【図３】
0003188656.tif 000005
【図４】
0003188656.tif 000006